(57)【特許請求の範囲】
【請求項１】
小型仏壇を別台机上に載置する仏壇であって、該別台机は縦方向又は横方向にして該小型仏壇と組み合わせ自在で、
該別台机が、直方体におけるコの字形の３面であって、小型仏壇の下側において、縦置き時に平面、背面及び底面となり、横置き時に右側面、平面及び左側面となる３面と、
縦置き時の背面又は横置き時の平面の略半幅の板状であって、縦置き時に正面側寄りで背面と略平行に平面と底面とに内接し、横置き時に底面側寄りで平面と略平行に右側面と左側面とに内接するように設けられた補強板と、
該補強板において、縦置き時に背面側となり、横置き時に平面側となる面に対し、直角に差し込まれ、該補強板から縦置き時の背面に向かう方向に水平に、且つ横置き時の平面に向かう方向に垂直に設けられた中板とのみからなることを特徴とする別台机を備えた仏壇。
【請求項２】
前記中板は、縦置き時に、前記補強板への差込面を反対側面に差し替え可能に設けられていることを特徴とする請求項１記載の別台机を備えた仏壇。
【請求項３】
小型仏壇を別台机上に載置する仏壇であって、該別台机は縦方向又は横方向にして該小型仏壇と組み合わせ自在で、
該別台机が、直方体における箱型の５面であって、小型仏壇の下側において、縦置き時に平面、背面、底面、右側面及び左側面となり、横置き時に右側面、背面、左側面、底面及び平面となる５面と、
板状であって、縦置き時に右側面及び左側面と略平行に平面と底面とに内接し、横置き時に底面及び平面と略平行に右側面と左側面とに内接するように設けられた補強板と、
該補強板と直角に、該補強板から、縦置き時の右側面及び左側面に向かう方向に水平に、且つ横置き時の底面及び平面に向かう方向に垂直に設けられた中板とのみからなることを特徴とする別台机を備えた仏壇。
【請求項４】
前記別台机において、前記中板又は補強板の上に載置する収納箱を備えたことを特徴とする請求項１乃至３いずれかに記載の別台机を備えた仏壇。
【請求項５】
前記小型仏壇及び別台机において、形状、模様及び色彩のうち少なくとも１つを統一したことを特徴とする請求項１乃至４いずれかに記載の別台机を備えた仏壇。
【発明の詳細な説明】
【０００１】
【発明の属する技術分野】
小型の仏壇に関し、金額のはらない、意匠性、装飾性、色彩性に富んだ外観上は家具としても優れた仏壇に関する。
【従来の技術】
【０００２】
実用新案登録番号第３０５８５１０号は
１）仏壇本体とベツト壇のデザインを統一し、これらを積み重ねて、又は横  に並べて組み合わせて使用出来るシステム式仏壇。
２）仏壇本体及びベット壇を外装ケース内に収めると共に、この外装ケース  と同一幅、奥行きの収納壇を別に設けるシステム式仏壇。
３）外装ケース及び収納壇の正面に、観音開き式の扉を取り付けたシステム  式仏壇。
４）収納壇に引き出し式の礼膳を組み込んだシステム式仏壇。
５）外装ケース及び収納壇のデザインを統一したシステム式仏壇。
【発明が解決しようとする課題】
【０００３】
狭い家の為、家具の一部、隙間に位置ずけられていた小型仏壇の復権を目指して、堂々と座敷や居間にその存在を主張出来る小型仏壇の提供である。
【課題を解決するための手段】
【０００４】
【課題を解決するための手段】
請求項１に係る発明は、小型仏壇を別台机上に載置する仏壇であって、該別台机は縦方向又は横方向にして該小型仏壇と組み合わせ自在で、該別台机が、直方体におけるコの字形の３面であって、小型仏壇の下側において、縦置き時に平面、背面及び底面となり、横置き時に右側面、平面及び左側面となる３面と、縦置き時の背面又は横置き時の平面の略半幅の板状であって、縦置き時に正面側寄りで背面と略平行に平面と底面とに内接し、横置き時に底面側寄りで平面と略平行に右側面と左側面とに内接するように設けられた補強板と、該補強板において、縦置き時に背面側となり、横置き時に平面側となる面に対し、直角に差し込まれ、該補強板から縦置き時の背面に向かう方向に水平に、且つ横置き時の平面に向かう方向に垂直に設けられた中板とのみからなることを特徴とする別台机を備えた仏壇に関する。
請求項２に係る発明は、前記中板は、縦置き時に、前記補強板への差込面を反対側面に差し替え可能に設けられていることを特徴とする請求項１記載の別台机を備えた仏壇に関する。
請求項３に係る発明は、小型仏壇を別台机上に載置する仏壇であって、該別台机は縦方向又は横方向にして該小型仏壇と組み合わせ自在で、該別台机が、直方体における箱型の５面であって、小型仏壇の下側において、縦置き時に平面、背面、底面、右側面及び左側面となり、横置き時に右側面、背面、左側面、底面及び平面となる５面と、板状であって、縦置き時に右側面及び左側面と略平行に平面と底面とに内接し、横置き時に底面及び平面と略平行に右側面と左側面とに内接するように設けられた補強板と、該補強板と直角に、該補強板から、縦置き時の右側面及び左側面に向かう方向に水平に、且つ横置き時の底面及び平面に向かう方向に垂直に設けられた中板とのみからなることを特徴とする別台机を備えた仏壇に関する。
請求項４に係る発明は、前記別台机において、前記中板又は補強板の上に載置する収納箱を備えたことを特徴とする請求項１乃至３いずれかに記載の別台机を備えた仏壇に関する。
請求項５に係る発明は、前記小型仏壇及び別台机において、形状、模様及び色彩のうち少なくとも１つを統一したことを特徴とする請求項１乃至４いずれかに記載の別台机を備えた仏壇に関する。
【０００５】
【作用】
１）別台机の上に小型仏壇を載置するので、仏様の位置が家の中で一つの重要な位置ずけが確保される。
２）小型仏壇を別台机上の縦方向、横方向に任意に載置出来るので、場所の選定の自由度が大きくなる。床上に別台机を縦方向に用意する場合には椅子に腰掛けて拝むと仏壇の仏様は顔の真正面に位置する。
３）別台机を横置きにして、小型仏壇を載置した場合、床上又は畳上に座布団などを敷いて座った形で仏様を拝むとき仏壇は顔の真正面に位置し、別に別台机の表面部のすいた部分に任意の・例えば生け花のような物も置く事が出来る。
４）別台机の中板や補強板（飾り板）の上に収納箱を載置する事で、仏事関  連の小物が整理整頓可能となる。
５）小型仏壇並びに別台机の材料、意匠、色彩を統一する事で、ほかの家具との調和がとれて来る。
６）縦置きにおいて別台机の中板を前向きに差しかえると経机として使用可能である。又、横置きにおいては別台机の中板は衝立て（ブックラック）の役割を持つ。
【０００６】
図１は、本発明の小型仏壇１と本発明の平面コの字形３側面部を有する別台机２の縦置き３を示す斜視図であります。小型仏壇用平面コの字形３側面部の別台机（載置台）２は
別台机表面部３ａ      横置き      縦置きでは、裏面側面部
別台机右側面部３ｂ    横置き      縦置きでは、仏壇載置台
別台机左側面部３ｃ    横置き      縦置きでは、床載置面
ただし、１８０度転換で左右側面部は逆転する。
補強の為に、中板３ｄ、補強板（飾り板）３ｅを設ける。
図３は、図１に、収納箱５を左側面部３ｃの内側に載置した図である。中板３ｄ上にも設けても良い。中板３ｄと補強板３ｅとは飾り止め６で動かないように係止している。
【０００７】
図２は、本発明の小型仏壇１と本発明の平面コの字形３側面部を有する別台机２の横置き４を示す斜視図であります。
別台机２の
別台机表面部３ａ、右側面部３ｂ、左側面部３ｃ、でありますが、１８０度転換で左右側面部は逆になる。
補強の為に、中板３ｄ及び補強板（飾り板）３ｅを設ける。
図４は、図２の補強板（飾り板）３ｅ上に収納箱５を載置した図である。収納箱５は、右側面部３ｂ側のみならず、左側面部３ｃ側の補強板３ｅ上に載置しても良い。
【０００８】
本発明の別台机２の縦置きか横置きかの問題は購入者の自由でありますが、本発明の意図する所は縦置きに関しては、椅子に座って仏様にお参りする場合に参拝者の顔が仏壇の真正面に位置し、横置きの場合には座布団に座って参拝すると顔の位置が仏壇の真正面に位置するように形状を選定する。
【０００９】
図２及び図４に置いては、別台机２の表面部３ａは大きくあいているが、ここには何を置いても、問題は無く、購入者の自由であります。花を生けても善し、神仏混淆で小型神殿を載置しても自由であります。換言すれば部屋に余裕があれば自由度が大きいという事です。
【００１０】
小型仏壇１と別台机２の材料は同じ木材が望ましく、木目が揃っておればもっと良い。色彩も統一されておれば家具としての落ち着きが出て来る。
別台机２の高さＨ（縦置き高さ）と幅Ｗ（横置き高さ）の関係は、
Ｈ／Ｗ＝１．５〜２．２が望ましい。
【００１１】
本発明の別台机２には、図５及び図６で示したような、箱型で５側面部を有するものも含まれる。手前だけが、側面部のない空隙になっている。側面部が５面あれば、３側面部の別台机より強度は強くなり、耐久性が秀れてくる。この場合でも縦置き３と横置き４の関係は、前述したように縦置きは椅子に座って参拝するのを意図したものであり、横置きは座布団に座って参拝するのを意図したものであります。
【００１２】
本発明においては、別台机を縦置き３の場合は図１のような使い方の他に、図７のように、中板３ｄを前向きに差しかえて経机にして使用することも縦置きの特徴の一つであります。又、横置き４の場合は、図４に見られるように、中板３ｄは縦方向に位置するので、衝立て（ブックラック）としても役割を果たす。
【００１３】
【発明の効果】
１）別台机を縦置きした場合、今迄の２倍以上の高さになり、偉容な存在になり、  仏壇としての尊厳が維持されて来る。加えて縦置きの場合は椅子に座って参拝  すると目線が仏壇本体に相対する事になる。
２）別台机を横置きにした場合は、参拝者が座布団を敷いて仏様を拝むと視線が仏壇本体と正面で相対する位置に設計してあり、しかも小型仏壇を載置した余裕の空間に、任意の物を置くことで色々な楽しみが増加する。（生け花の楽しみ、神殿の載置と言った楽しみの自由度の増加）
３）中板や補強板の上に、収納箱を置く事で、仏事の必要物資や記帳の整理が可能と成った。
４）小型仏壇と別台机の素材の統一、意匠の整合、色彩の選択で家具としての威厳が保たれた。
５）別台机を縦置きにして使用するとき、中板を前向きに差しかえて経机にして使用することで長時間お経をあげるとき手持ちの労苦が解消された。又、別台机を横置きした場合には縦方向に位置するので、該中板は衝立て（ブックラック）の役割をして、飾り板に本を置くことも可能である。
【図面の簡単な説明】
【図１】図１は本発明の小型仏壇と３側面部からなる別台机の縦方向の載置の斜視図。
【図２】図２は本発明の小型仏壇と３側面部からなる別台机の横方向の載置の斜視図。
【図３】図３は本発明の３側面部からなる別台机の縦方向載置の収納箱との関係を示す斜視図。
【図４】図４は本発明の３側面部からなる別台机の横方向載置の収納箱との関係を示す斜視図。
【図５】図５は本発明の箱型５側面部からなる別台机の縦方向の載置の斜視図。
【図６】図６は本発明の箱型５側面部からなる別台机の横方向の載置の斜視図。
【図７】図７は本発明の別台机の縦置きにおける中板の経机への自在使用を示す右方向側面図。
【符号の説明】
１      小型仏壇
２      小型仏壇用別台机（載置台）
３      別台机縦置き
３ａ    別台机表面部（縦置き・裏面側面部）
３ｂ    別台机右側面部（縦置き・仏壇載置面）
３ｃ    別台机左側面部（縦置き・床載置面）
３ｄ    別台机中板（別台机経机・縦置き、衝立て・横置き）
３ｅ    別台机補強板（飾り板）
３ｆ    別台机上面部（横置き・仏壇載置面）
３ｇ    別台机底面部（横置き・床載置面）
４      別台机横置き
５      収納箱
６      飾り止め
７      別台机中板の高さ安定留め棒
Ｈ      別台机の縦置きの高さ
Ｗ      別台机の横置きの高さ
【図１】
0003910789.tif 000002
【図２】
0003910789.tif 000003
【図３】
0003910789.tif 000004
【図４】
0003910789.tif 000005
【図５】
0003910789.tif 000006
【図６】
0003910789.tif 000007
【図７】
0003910789.tif 000008